(57)【要約】      （修正有）【課題】一度に多くのバルクを付着可能な化粧用ブラシを提供する。【解決手段】化粧用ブラシは、ブラシロッド１、ブラシ毛固定部材２及びブラシ毛３を含み、当該ブラシ毛固定部材２が円弧状構造をなしており、円弧状の両端が当該ブラシロッド１の一端に固定されており、当該ブラシ毛３が当該ブラシ毛固定部材２に固定されるとともに外側に向かって広がっている。当該化粧用ブラシは円弧状構造のブラシ毛固定部材２を設けることで、多くのバルクを一度に付着可能としている。よって、メイクアップ面積が拡大し、バルク容器から度々バルクを付着させる必要がないため使用しやすい。且つ、小型ブラシを設けることで特定部位の細かい化粧に利用可能となるため、使用範囲が広がる。【選択図】図１
0003221112.tif 000002
【実用新案登録請求の範囲】
【請求項１】
ブラシロッド、ブラシ毛固定部材及びブラシ毛を含み、当該ブラシ毛固定部材が円弧状構造をなしており、円弧状の両端が当該ブラシロッドの一端に固定されており、当該ブラシ毛が当該ブラシ毛固定部材に固定されるとともに外側に向かって広がっていることを特徴とする化粧用ブラシ。
【請求項２】
更に、小型ブラシを含み、当該ブラシロッドは空洞を有し、当該小型ブラシは当該空洞及び当該ブラシ毛固定部材内に配置されることを特徴とする請求項１に記載の化粧用ブラシ。
【請求項３】
当該ブラシ毛固定部材はＶ字構造をなしていることを特徴とする請求項１に記載の化粧用ブラシ。
【請求項４】
当該ブラシ毛固定部材はＵ字構造をなしていることを特徴とする請求項１に記載の化粧用ブラシ。
【考案の詳細な説明】
【技術分野】
【０００１】
本考案は化粧用具に関し、特に化粧用ブラシに関する。
【背景技術】
【０００２】
化粧用ブラシは化粧時の使用頻度が高い用具の一つであり、各種のパウダー状又はペースト状の化粧品を使用するにあたって化粧用ブラシは欠かせない。ところで、現在市販されている化粧用ブラシは、ブラシの柄にブラシ毛が直接接続されている形式のものが多い。このような形式のものは使用時の柔軟性が十分でなく、ブラシヘッドの先端部にしかバルクを付着させられないため、１回あたりのメイクアップ面積が小さくなる。且つ、場合によっては特定部位を細かく化粧する必要があるが、小型のブラシを別途取り付けねばならないため携帯に不便である。
【考案の概要】
【考案が解決しようとする課題】
【０００３】
従来技術における上記の欠点に鑑みて、本考案は、一度に多くのバルクを付着可能な化粧用ブラシを提供することを解決すべき技術的課題とする。
【課題を解決するための手段】
【０００４】
上記の目的を実現すべく、本考案は、ブラシロッド、ブラシ毛固定部材及びブラシ毛を含み、当該ブラシ毛固定部材が円弧状構造をなしており、円弧状の両端が当該ブラシロッドの一端に固定されており、当該ブラシ毛が当該ブラシ毛固定部材に固定されるとともに外側に向かって広がっている化粧用ブラシを提供する。
【０００５】
当該化粧用ブラシは更に小型ブラシを含み、当該ブラシロッドは空洞を有し、当該小型ブラシは当該空洞及び当該ブラシ毛固定部材内に配置される。
【０００６】
当該ブラシ毛固定部材はＶ字構造をなしている。
【０００７】
代替可能な実施例として、当該ブラシ毛固定部材はＵ字構造をなしている。
【考案の効果】
【０００８】
本考案の化粧用ブラシは円弧状構造のブラシ毛固定部材を設けることで、多くのバルクを一度に付着可能としている。よって、メイクアップ面積が拡大し、バルク容器から度々バルクを付着させる必要がないため使用しやすい。且つ、小型ブラシを設けることで、特定部位の細かい化粧に利用可能となるため、使用範囲が広がる。
【０００９】
以下に、本考案の目的、特徴及び効果が十分に理解されるよう、図面を組み合わせて本考案の思想、具体的構造及び発生する技術的効果について更に説明する。
【図面の簡単な説明】
【００１０】
【図１】図１は、本考案における化粧用ブラシの正面図である。
【考案を実施するための形態】
【００１１】
以下に、図面を組み合わせて本考案につき更に詳述する。
【００１２】
図１に示すように、本考案は、ブラシロッド１、ブラシ毛固定部材２及びブラシ毛３を含み、当該ブラシ毛固定部材２と当該ブラシ毛３がブラシヘッドとして組み合わされる化粧用ブラシを提供する。
【００１３】
当該ブラシ毛固定部材２は円弧状構造をなしており、円弧状の両端が、中央にバルク室を形成するように当該ブラシロッド１の一端に固定されている。当該バルク室には、バルクの張力によって一定量のバルクを貯蓄可能である。当該ブラシ毛３は当該ブラシ毛固定部材２に固定されており、且つ外側に向かって広がっている。そのため、従来のブラシと比較して、当該ブラシヘッドはより多くのバルクを一度に付着可能であり、メイクアップ面積が拡大する。よって、バルク容器から度々バルクを付着させる必要がないため使用しやすい。なお、当該バルク室内には当該ブラシ毛３が存在してもよいし、存在しなくてもよい。当該ブラシ毛３が存在する場合、当該バルク室はより良好にバルクを貯蓄可能となる。
【００１４】
当該ブラシロッド１は空洞を有する。また、当該化粧用ブラシは更に小型ブラシを含む。当該小型ブラシには通常のブラシ構造が用いられるが体積は小さく、当該空洞及び当該ブラシヘッド内に配置される。これにより、当該ブラシヘッドでバルクを付着するだけでなく、当該小型ブラシによってもバルクを付着可能となる。また、当該小型ブラシは特定部位の細かい化粧に利用可能なため、使用範囲が広がる。なお、当該空洞は当該ブラシロッド１全体を貫通してもよいし、当該ブラシ毛固定部材２の端部近傍の空間のみを占有してもよい。当該空洞が当該ブラシロッド１を貫通している場合、当該小型ブラシは当該ブラシロッド１の底部から取り出して使用すればよい。また、当該空洞が当該ブラシロッド１を貫通していない場合、当該小型ブラシは当該ブラシヘッドから伸出させてそのまま使用してもよいし（この場合、当該ブラシヘッドは当該小型ブラシの邪魔にならないよう側方に屈曲させる）、取り出して使用してもよい。
【００１５】
当該ブラシ毛固定部材２にはＶ字構造を採用している。当該Ｖ字構造は頂角箇所のブラシ毛がまばらとなるため、細かい部分の化粧に利用可能となり、使用しやすい。代替可能な実施例として、当該ブラシ毛固定部材２はＵ字構造を採用してもよい。
【００１６】
以上、本考案の好ましい具体的実施例について詳述した。ただし、当業者であれば創造的労働を要することなく、本考案の思想に基づいて多くの変更及び変形を実施可能である。したがって、当業者が本考案の思想に基づいて、従来技術を元に論理分析、推理又は有限回数の実験を通じて取得可能な技術案は、いずれも実用新案登録請求の範囲で特定される保護の範囲に含まれる。
【図１】
0003221112.tif 000003
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
ブラシロッド、ブラシ毛固定部材及びブラシ毛を含み、当該ブラシ毛固定部材が円弧状構造をなしており、円弧状の両端が当該ブラシロッドの一端に固定されており、当該ブラシ毛が当該ブラシ毛固定部材に固定されるとともに外側に向かって広がっていることを特徴とする化粧用ブラシ。
【請求項２】
更に、小型ブラシを含み、当該ブラシロッドは空洞を有し、当該小型ブラシは当該空洞及び当該ブラシ毛固定部材内に配置されることを特徴とする請求項１に記載の化粧用ブラシ。
【請求項３】
ブラシロッド、ブラシ毛固定部材及びブラシ毛を含み、当該ブラシ毛固定部材がＶ字構造をなしており、Ｖ字の両端が当該ブラシロッドの一端に固定されており、当該ブラシ毛が当該ブラシ毛固定部材に固定されるとともに外側に向かって広がっていることを特徴とする化粧用ブラシ。
【請求項４】
ブラシロッド、ブラシ毛固定部材及びブラシ毛を含み、当該ブラシ毛固定部材がＵ字構造をなしており、Ｕ字の両端が当該ブラシロッドの一端に固定されており、当該ブラシ毛が当該ブラシ毛固定部材に固定されるとともに外側に向かって広がっていることを特徴とする化粧用ブラシ。